(57)【要約】【課題】電磁誘導により電線から電力を適正に取得することができる電源装置を提供する。【解決手段】コイルユニット６０は、コイル６１を介して電磁誘導により電線から交流電力を取得する。ツェナダイオード２０は、整流回路１０に接続され当該整流回路１０により整流した直流電力の電圧を一定にした直流電力を負荷部４に出力する。スイッチング回路９０は、コイルユニット６０と整流回路１０との間においてコイルユニット６０に並列に接続され、当該コイルユニット６０により取得した交流電力の無効電力を調整する。電圧検出回路５０は、ツェナダイオード２０から負荷部４に出力される直流電力の検出電圧Ｖoutを検出する。パルス制御回路７０及びパルス出力回路８０は、電圧検出回路５０により検出された検出電圧Ｖoutに基づいてスイッチング回路９０を制御する。【選択図】図１
2020043619.tif 000002
【特許請求の範囲】
【請求項１】
電力を供給する電線に設けられコイルを有し前記コイルを介して電磁誘導により前記電線から交流電力を取得するコイルユニットと、
前記コイルユニットに接続され当該コイルユニットにより取得した前記交流電力を直流電力に整流する整流回路と、
前記整流回路に接続され当該整流回路により整流した前記直流電力の電圧を一定にした直流電力を負荷部に出力する定電圧ダイオードと、
前記コイルユニットと前記整流回路との間において前記コイルユニットに並列に接続され当該コイルユニットにより取得した前記交流電力の無効電力を調整するスイッチング回路と、
前記定電圧ダイオードから前記負荷部に出力される前記直流電力の検出電圧を検出する電圧検出回路と、
前記電圧検出回路により検出された前記検出電圧に基づいて前記スイッチング回路を制御する制御回路と、
を備えることを特徴とする電源装置。
【請求項２】
前記制御回路は、前記電圧検出回路により検出された前記検出電圧が予め定められた閾値以上の場合、前記スイッチング回路を制御して前記コイルユニットにより取得した前記交流電力の前記無効電力を相対的に増加させ、
前記電圧検出回路により検出された前記検出電圧が前記閾値未満の場合、前記スイッチング回路を制御して前記コイルユニットにより取得した前記交流電力の前記無効電力を相対的に減少させる請求項１に記載の電源装置。
【発明の詳細な説明】
【技術分野】
【０００１】
本発明は、電源装置に関する。
【背景技術】
【０００２】
従来、電源装置として、例えば、電線からコイルの電磁誘導により電力を取得する電源装置がある。この電源装置は、電線にコイルを取り付け、当該電線に流れる電流によって発生する磁界に応じてコイルに誘起される電磁誘導を用いて電線から電力を取得する。なお、特許文献１には、電線に流れる電流によって発生する磁界に応じて誘起される電磁誘導電流を検出する電流センサ端末が開示されている。
【先行技術文献】
【特許文献】
【０００３】
【特許文献１】特許第５９７９５４８号公報
【発明の概要】
【発明が解決しようとする課題】
【０００４】
ところで、従来の電源装置は、例えば、電線に流れる電流が変化する場合に、当該電流の変化に応じて電線から取得する電力を調整することが望まれている。
【０００５】
そこで、本発明は、上記に鑑みてなされたものであって、電磁誘導により電線から電力を適正に取得することができる電源装置を提供することを目的とする。
【課題を解決するための手段】
【０００６】
上述した課題を解決し、目的を達成するために、本発明に係る電源装置は、電力を供給する電線に設けられコイルを有し前記コイルを介して電磁誘導により前記電線から交流電力を取得するコイルユニットと、前記コイルユニットに接続され当該コイルユニットにより取得した前記交流電力を直流電力に整流する整流回路と、前記整流回路に接続され当該整流回路により整流した前記直流電力の電圧を一定にした直流電力を負荷部に出力する定電圧ダイオードと、前記コイルユニットと前記整流回路との間において前記コイルユニットに並列に接続され当該コイルユニットにより取得した前記交流電力の無効電力を調整するスイッチング回路と、前記定電圧ダイオードから前記負荷部に出力される前記直流電力の検出電圧を検出する電圧検出回路と、前記電圧検出回路により検出された前記検出電圧に基づいて前記スイッチング回路を制御する制御回路と、を備えることを特徴とする。
【０００７】
上記電源装置において、前記制御回路は、前記電圧検出回路により検出された前記検出電圧が予め定められた閾値以上の場合、前記スイッチング回路を制御して前記コイルユニットにより取得した前記交流電力の前記無効電力を相対的に増加させ、前記電圧検出回路により検出された前記検出電圧が前記閾値未満の場合、前記スイッチング回路を制御して前記コイルユニットにより取得した前記交流電力の前記無効電力を相対的に減少させることが好ましい。
【発明の効果】
【０００８】
本発明に係る電源装置は、コイルユニットにより電線から取得した交流電力の無効電力を調整するスイッチング回路と、検出電圧に基づいてスイッチング回路を制御する制御回路とを備えるので、過剰な交流電力を無効電力として消費することができ、電磁誘導により電線から電力を適正に取得することができる。
【図面の簡単な説明】
【０００９】
【図１】図１は、実施形態に係る電源装置の構成例を示すブロック図である。
【図２】図２は、実施形態に係る電源装置の制御系の構成例を示すブロック図である。
【図３】図３は、実施形態に係る送電線の電流とツェナダイオードの電圧との関係を示す図である。
【図４】図４は、実施形態に係る送電線の電流とツェナダイオードの電圧との関係を示す図である。
【図５】図５は、実施形態に係る電源装置の動作例を示すメインのフローチャートである。
【図６】図６は、実施形態に係る電源装置の動作例を示すサブのフローチャートである。
【発明を実施するための形態】
【００１０】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１１】
〔実施形態〕
図面を参照しながら実施形態に係る電源装置１について説明する。図１は、実施形態に係る電源装置１の構成例を示すブロック図である。図２は、実施形態に係る電源装置１の制御系の構成例を示すブロック図である。
【００１２】
電源装置１は、送電線２から電磁誘導により電力を取得し、取得した電力を負荷部３に供給するものである。ここで、送電線２は、例えば、工場等に配索される電力供給用の電線であり、電力供給部（図示省略）と負荷部３との間を接続している。送電線２は、負荷部３の消費電力の変動に応じて電流が変動する。電源装置１は、整流回路１０と、定電圧ダイオードとしてのツェナダイオード２０と、コンデンサ３０と、充放電回路４０と、電圧検出回路５０と、コイルユニット６０と、制御回路としてのパルス制御回路７０と、制御回路としてのパルス出力回路８０と、スイッチング回路９０とを備える。
【００１３】
整流回路１０は、交流電力を直流電力に整流するものである。整流回路１０は、例えば、コイルユニット６０に接続され、当該コイルユニット６０により取得した交流電力を直流電力に整流する。整流回路１０は、例えば、４つのダイオードＤ１〜Ｄ４をブリッジ状に接続したブリッジ型の全波整流回路である。整流回路１０は、ダイオードＤ１〜Ｄ４と、ノードＮ１〜Ｎ４とを有する。ダイオードＤ１、Ｄ２は、順方向で直列に接続され直列回路を形成する。ダイオードＤ３、Ｄ４は、順方向で直列に接続され直列回路を形成し、且つ、ダイオードＤ１、Ｄ２の直列回路と並列に接続される。ノードＮ１は、ダイオードＤ１のカソード端子とダイオードＤ２のアノード端子とを接続する部分である。ノードＮ１は、コイルユニット６０の一方側の端子に接続される。ノードＮ２は、ダイオードＤ３のカソード端子とダイオードＤ４のアノード端子とを接続する部分である。ノードＮ２は、コイルユニット６０の他方側の端子に接続される。ノードＮ３は、ダイオードＤ２のカソード端子とダイオードＤ４のカソード端子とを接続する部分である。ノードＮ３は、負荷部４の正極に接続される。ノードＮ４は、ダイオードＤ１のアノード端子とダイオードＤ３のアノード端子とを接続する部分である。ノードＮ４は、グランドに接続される。整流回路１０は、ノードＮ１、Ｎ２に供給される交流電力を整流した直流電力をノードＮ３から負荷部４の正極に出力する。
【００１４】
ツェナダイオード２０は、直流電力の電圧を一定にするものである。ツェナダイオード２０は、例えば、整流回路１０に接続され、当該整流回路１０により整流した直流電力の電圧を一定にした直流電力を負荷部４に出力する。ツェナダイオード２０は、整流回路１０とコンデンサ３０との間に設けられている。ツェナダイオード２０は、カソード端子が整流回路１０のノードＮ３に接続され、アノード端子がグランドに接続されている。ツェナダイオード２０は、整流回路１０から出力される直流電力の電圧が降伏電圧（ツェナー電圧）以上の場合には電流が流れ、整流回路１０から出力される直流電力の電圧が降伏電圧未満の場合には電流が流れない。これにより、ツェナダイオード２０は、整流回路１０により整流した直流電力の電圧の上限を一定にすることができる。本実施形態では、ツェナダイオード２０の降伏電圧は、例えば、５．６Ｖとするが、これに限定されない。
【００１５】
コンデンサ３０は、電流（電力）を平滑化するものである。コンデンサ３０は、ツェナダイオード２０と充放電回路４０との間に設けられている。コンデンサ３０は、一方側の端子が整流回路１０のノードＮ３に接続され、他方側の端子がグランドに接続されている。コンデンサ３０は、整流回路１０により整流した直流電力を平滑化し、平滑化した直流電力を充放電回路４０に出力する。
【００１６】
充放電回路４０は、電力を充電及び放電するものである。充放電回路４０は、コンデンサ３０と負荷部４との間に設けられている。充放電回路４０は、一方側の端子が整流回路１０のノードＮ３に接続され、他方側の端子がグランドに接続されている。充放電回路４０は、バッテリ（図示省略）を有し、整流回路１０から出力される直流電力をバッテリに充電する。また、充放電回路４０は、バッテリに充電した電力を負荷部４に出力する。充放電回路４０は、例えば、整流回路１０から出力される直流電力が相対的に大きい場合、バッテリに電力を充電する。また、充放電回路４０は、整流回路１０から出力される直流電力が相対的に小さい場合、バッテリに充電した電力を負荷部４に出力する。これにより、電源装置１は、負荷部４に電力を安定して供給することができる。
【００１７】
電圧検出回路５０は、電圧を検出するものである。電圧検出回路５０は、ツェナダイオード２０と負荷部４との間に設けられ、ツェナダイオード２０から負荷部４に出力される直流電力の検出電圧Ｖoutを検出する。電圧検出回路５０は、パルス制御回路７０に接続され、検出電圧Ｖoutをパルス制御回路７０に出力する。
【００１８】
コイルユニット６０は、電磁誘導により電力を取得するものである。コイルユニット６０は、コイル６１と、コア６２とを有する。コイル６１は、導線が螺旋状に巻き回されたものである。コイル６１は、例えば、コア６２の外周面に沿って螺旋状に巻き回されている。コイル６１は、コア６２に巻き回された状態で、電力を供給する送電線２に設けられる。コイル６１は、例えば、送電線２に生じる磁束により誘導起電力を発生可能な位置に設けられる。コイル６１は、一方側の端部が整流回路１０のノードＮ１に接続され、他方側の端部が整流回路１０のノードＮ２に接続されている。コイル６１は、電磁誘導により送電線２から交流電力（皮相電力）を取得し、取得した交流電力を整流回路１０に出力する。
【００１９】
コア６２は、環状に形成され、磁性材料を含む磁性体である。コア６２の内側には、送電線２が挿通している。コア６２は、コイル６１の内側に挿通している。つまり、コア６２の外周面には、コイル６１が巻き回されている。コア６２は、コイル６１のインダクタンスを向上させる。
【００２０】
パルス制御回路７０は、パルス出力回路８０を制御するものである。パルス制御回路７０は、例えば、電圧検出回路５０及びパルス出力回路８０に接続され、電圧検出回路５０により検出された検出電圧Ｖoutに基づいてパルス出力回路８０を制御する。パルス制御回路７０は、例えば、図２に示すように、電源電圧入力部７１と、比較回路７２と、信号生成器７３とを有する。電源電圧入力部７１は、電圧を入力する部分である。電源電圧入力部７１は、電圧検出回路５０に接続され、当該電圧検出回路５０により検出された検出電圧Ｖoutを入力する。電源電圧入力部７１は、比較回路７２に接続され、入力した検出電圧Ｖoutを比較回路７２に出力する。
【００２１】
比較回路７２は、電圧を比較するものである。比較回路７２は、電源電圧入力部７１に接続され、当該電源電圧入力部７１から出力された検出電圧Ｖoutと予め定められた閾値とを比較する。ここで、閾値は、ツェナダイオード２０の降伏電圧（例えば５．６Ｖ）よりも若干小さい電圧（例えば５．３Ｖ）が好ましい。比較回路７２は、信号生成器７３に接続され、比較結果を当該信号生成器７３に出力する。比較回路７２は、例えば、検出電圧Ｖoutが閾値以上である場合、比較結果として検出電圧Ｖoutが閾値以上であることを表す比較回路信号を信号生成器７３に出力する。また、比較回路７２は、検出電圧Ｖoutが閾値未満である場合、比較結果として検出電圧Ｖoutが閾値未満であることを表す比較回路信号を信号生成器７３に出力する。
【００２２】
信号生成器７３は、信号を生成するものである。信号生成器７３は、比較回路７２に接続され、当該比較回路７２から出力された比較回路信号に基づいてパルス設定信号を生成する。信号生成器７３は、例えば、検出電圧Ｖoutが閾値以上であることを表す比較回路信号を入力した場合、スイッチング回路９０のオンデューティ（デューティ比）を増加させるパルス設定信号を生成する。ここで、オンデューティ（デューティ比）の範囲は、例えば、０％〜５０％程度である。信号生成器７３は、検出電圧Ｖoutが閾値未満であることを表す比較回路信号を入力した場合、スイッチング回路９０のオンデューティを減少させるパルス設定信号を生成する。信号生成器７３は、パルス出力回路８０に接続され、パルス設定信号をパルス出力回路８０に出力する。
【００２３】
パルス出力回路８０は、パルス信号を出力するものである。パルス出力回路８０は、例えば、パルス制御回路７０に接続され、当該パルス制御回路７０から出力されたパルス設定信号に基づいてパルス信号を出力する。パルス出力回路８０は、例えば、周波数調整器８１と、ＤＵＴＹ比調整器８２と、パルス生成器８３とを有する。
【００２４】
周波数調整器８１は、パルス信号の周波数を調整するものである。周波数調整器８１は、例えば、信号生成器７３に接続され、信号生成器７３から出力されたパルス設定信号に基づいて周波数を調整する。周波数調整器８１は、例えば、パルス設定信号に基づいてパルス信号の周波数を増減させる。周波数調整器８１は、パルス生成器８３に接続され、調整した周波数を表す周波数信号をパルス生成器８３に出力する。
【００２５】
ＤＵＴＹ比調整器８２は、オンデューティを調整するものである。ＤＵＴＹ比調整器８２は、信号生成器７３に接続され、信号生成器７３から出力されるパルス設定信号に基づいてオンデューティを調整する。ＤＵＴＹ比調整器８２は、例えば、パルス設定信号に基づいてパルス信号のオンデューティを増減させる。ＤＵＴＹ比調整器８２は、パルス生成器８３に接続され、調整したオンデューティを表すオンデューティ信号をパルス生成器８３に出力する。
【００２６】
パルス生成器８３は、パルス信号を生成するものである。パルス生成器８３は、周波数調整器８１及びＤＵＴＹ比調整器８２に接続される。パルス生成器８３は、周波数調整器８１から出力される周波数信号及びＤＵＴＹ比調整器８２から出力されるオンデューティ信号に基づいてパルス信号を生成する。パルス生成器８３は、スイッチング回路９０に接続され、パルス信号をスイッチング回路９０に出力する。
【００２７】
スイッチング回路９０は、電流を通電又は遮断するものである。スイッチング回路９０は、コイルユニット６０と整流回路１０との間において、コイルユニット６０に並列に接続されている。スイッチング回路９０は、コイルユニット６０により取得した交流電力（皮相電力）の無効電力を調整する。ここで交流電力（皮相電力）は、負荷部４により消費される有効電力と、負荷部４により消費されない無効電力とを含んで構成される。無効電力は、コイルユニット６０から出力された交流電力が負荷部４により消費されずにコイルユニット６０に戻ってくる電力である。スイッチング回路９０は、例えば、半導体スイッチ９１を有する。半導体スイッチ９１は、パルス生成器８３に接続され、パルス生成器８３から出力されたパルス信号に基づいてオンとオフとを繰り返してスイッチングする。
【００２８】
次に、送電線２の電流とツェナダイオード２０の電圧Ｖ１との関係について説明する。図３及び図４は、実施形態に係る送電線２の電流とツェナダイオード２０の電圧Ｖ１との関係を示す図である。送電線２は、接続される負荷部３の電力消費の変動に応じて流れる電流が変動する。
【００２９】
ツェナダイオード２０の電圧Ｖ１は、図３に示すように、送電線２の電流がＩａアンペアのときに最大電圧（ツェナダイオード２０の降伏電圧）に到達する。つまり、ツェナダイオード２０の電圧Ｖ１は、Ｉａアンペアで飽和する。ここで、ツェナダイオード２０は、送電線２の電流がＩａアンペアよりも増加すると、当該ツェナダイオード２０に電流Ｉ１が流れて発熱する。このとき、ツェナダイオード２０は、送電線２の電流の増加に応じて発熱領域Ｑが拡大する。
【００３０】
電源装置１は、図４に示すように、送電線２の電流がＩａアンペアに到達すると、パルス制御によりスイッチング回路９０の半導体スイッチ９１をスイッチングし、コイルユニット６０により送電線２から取得した交流電力の無効電力を増加させる。これにより、電源装置１は、送電線２の電流が増加しても当該送電線２から取得した交流電力の有効電力の増加を抑制することができ、ツェナダイオード２０に流れる電流Ｉ１を抑制することができる。
【００３１】
次に、図５を参照して電源装置１の動作例について説明する。図５は、実施形態に係る電源装置１の動作例を示すメインのフローチャートである。電源装置１は、コイルユニット６０により電力を取得する（ステップＳ１）。コイルユニット６０は、例えば、電磁誘導により送電線２から交流電力を取得する。次に、電源装置１は、コイルユニット６０により取得された交流電力を整流回路１０により整流する（ステップＳ２）。次に、電源装置１は、ツェナダイオード２０により定電圧化を行う（ステップＳ３）。ツェナダイオード２０は、例えば、整流回路１０により整流した直流電力の電圧の上限を一定（例えば５．６Ｖ）にする。
【００３２】
次に、電源装置１は、電圧検出回路５０により電圧を検出する（ステップＳ４）。電圧検出回路５０は、例えば、ツェナダイオード２０から負荷部４に出力される直流電力の検出電圧Ｖoutを検出する。電圧検出回路５０は、検出電圧Ｖoutをパルス制御回路７０に出力する。次に、電源装置１は、パルス制御回路７０及びパルス出力回路８０によりパルス制御を行う（ステップＳ５）。パルス制御回路７０は、例えば、電圧検出回路５０により検出された検出電圧Ｖoutに基づいてパルス出力回路８０を制御する。パルス制御回路７０は、例えば、検出電圧Ｖoutが閾値以上である場合、半導体スイッチ９１のオンデューティを増加させるパルス設定信号をパルス出力回路８０に出力する。また、パルス制御回路７０は、検出電圧Ｖoutが閾値未満である場合、半導体スイッチ９１のオンデューティを減少させるパルス設定信号をパルス出力回路８０に出力する。パルス出力回路８０は、パルス設定信号に基づいてパルス信号を生成し、生成したパルス信号を半導体スイッチ９１に出力する。半導体スイッチ９１は、パルス出力回路８０から出力されたパルス信号に基づいてスイッチングし、コイルユニット６０により送電線２から取得した交流電力の無効電力を調整する。
【００３３】
次に、電源装置１は、半導体スイッチ９１により無効電力が調整されツェナダイオード２０により定電圧化された電力を充放電回路４０に供給する（ステップＳ６）。次に、電源装置１は、充放電回路４０により充放電制御を行い（ステップＳ７）、負荷部４に電力を供給する（ステップＳ８）。充放電回路４０は、例えば、負荷部４に供給する電力が不足している場合、バッテリに充電した電力を放電して負荷部４に電力を供給する。また、充放電回路４０は、負荷部４に供給する電力が足りている場合、バッテリに電力を充電する。これにより、電源装置１は、負荷部４に安定して電力を供給することができる。
【００３４】
次に、図６を参照して上述のステップＳ５におけるパルス制御について詳細に説明する。図６は、実施形態に係る電源装置１の動作例を示すサブのフローチャートである。パルス制御回路７０は、検出電圧Ｖoutが予め定められた閾値（例えば５．３Ｖ）以上であるか否かを判定する（ステップＵ１）。パルス制御回路７０は、検出電圧Ｖoutが予め定められた閾値（例えば５．３Ｖ）以上である場合（ステップＵ１；Ｙｅｓ）、例えば、オンデューティを０．５％増加させるパルス設定信号をパルス出力回路８０に出力する（ステップＵ２）。
【００３５】
次に、パルス出力回路８０は、パルス制御を行う（ステップＵ３）。パルス出力回路８０は、パルス制御回路７０から出力されたパルス設定信号に基づいてパルス信号を生成する。パルス出力回路８０は、例えば、オンデューティを０．５％増加させるパルス設定信号に基づいてパルス信号を生成し、生成したパルス信号を半導体スイッチ９１に出力する。これにより、電源装置１は、コイルユニット６０により送電線２から取得した交流電力の無効電力を相対的に増加させることができ、ツェナダイオード２０に流れる電流Ｉ１を抑制することができる。半導体スイッチ９１は、パルス生成器８３から出力されたパルス信号に基づいてスイッチングし、コイルユニット６０により送電線２から取得した交流電力の無効電力を調整し、終了する。なお、パルス出力回路８０は、オンデューティが５０％であるときに、オンデューティを増加させるパルス設定信号を入力した場合、オンデューティを増加しない。
【００３６】
一方、上述のステップＵ１で、パルス制御回路７０は、検出電圧Ｖoutが予め定められた閾値（例えば５．３Ｖ）未満である場合（ステップＵ１；Ｎｏ）、オンデューティを０．５％減少させる（ステップＵ４）。次に、パルス出力回路８０は、パルス制御を行う（ステップＵ３）。パルス出力回路８０は、例えば、オンデューティを０．５％減少させるパルス設定信号に基づいてパルス信号を生成し、生成したパルス信号を半導体スイッチ９１に出力する。これにより、電源装置１は、コイルユニット６０により送電線２から取得した交流電力の無効電力を減少させることができ、負荷部４側に供給する電力を大きくすることができる。なお、パルス出力回路８０は、オンデューティが０％であるときに、オンデューティを減少させるパルス設定信号を入力した場合、オンデューティを減少しない。
【００３７】
以上のように、実施形態に係る電源装置１は、コイルユニット６０と、整流回路１０と、ツェナダイオード２０と、スイッチング回路９０と、電圧検出回路５０と、パルス制御回路７０と、パルス出力回路８０とを備える。コイルユニット６０は、電力を供給する電線に設けられコイル６１を有し当該コイル６１を介して電磁誘導により電線から交流電力を取得する。整流回路１０は、コイルユニット６０に接続され当該コイルユニット６０により取得した交流電力を直流電力に整流する。ツェナダイオード２０は、整流回路１０に接続され当該整流回路１０により整流した直流電力の電圧を一定にした直流電力を負荷部４に出力する。スイッチング回路９０は、コイルユニット６０と整流回路１０との間においてコイルユニット６０に並列に接続され、当該コイルユニット６０により取得した交流電力の無効電力を調整する。電圧検出回路５０は、ツェナダイオード２０から負荷部４に出力される直流電力の検出電圧Ｖoutを検出する。パルス制御回路７０及びパルス出力回路８０は、電圧検出回路５０により検出された検出電圧Ｖoutに基づいてスイッチング回路９０を制御する。
【００３８】
この構成により、電源装置１は、検出電圧Ｖoutに基づくフィードバック制御により、コイルユニット６０で取得した交流電力（皮相電力）の無効電力を調整することができる。電源装置１は、例えば、検出電圧Ｖoutが相対的に高い場合、スイッチング回路９０のオンデューティを増加することで、コイルユニット６０により送電線２から取得した交流電力の無効電力を増加させることができる。これにより、電源装置１は、過剰な交流電力を無効電力として消費することができ、ツェナダイオード２０の降伏電圧を超えて当該ツェナダイオード２０に流れる電流Ｉ１を抑制できる。従って、電源装置１は、ツェナダイオード２０の熱損失として電力を無駄に消費することを抑制できる。また、電源装置１は、回路に大電流が流れることを抑制することができ、整流回路１０、ツェナダイオード２０、及び、充放電回路４０の耐熱設計・放熱設計を適正に行うことができる。この結果、電源装置１は、電磁誘導により送電線２から電力を適正に取得することができる。
【００３９】
上記電源装置１において、パルス制御回路７０及びパルス出力回路８０は、電圧検出回路５０により検出された検出電圧Ｖoutが予め定められた閾値以上の場合、スイッチング回路９０を制御してコイルユニット６０により取得した交流電力の無効電力を相対的に増加させる。一方、パルス制御回路７０及びパルス出力回路８０は、電圧検出回路５０により検出された検出電圧Ｖoutが閾値未満の場合、スイッチング回路９０を制御してコイルユニット６０により取得した交流電力の無効電力を相対的に減少させる。この構成により、電源装置１は、ツェナダイオード２０の降伏電圧を超えて当該ツェナダイオード２０に流れる電流Ｉ１を抑制することができ、電磁誘導により送電線２から電力を適正に取得することができる。
【００４０】
なお、上記説明において、定電圧ダイオードは、ツェナダイオード２０である例について説明したが、これに限定されず、例えば、アバランシェ整流ダイオード(アバランシェダイオード)等であってもよい。
【００４１】
また、整流回路１０は、ブリッジ型の全波整流回路である例について説明したが、これに限定されず、その他の整流回路であってもよい。
【符号の説明】
【００４２】
１  電源装置
２  送電線（電線）
４  負荷部
１０  整流回路
２０  ツェナダイオード（定電圧ダイオード）
５０  電圧検出回路
６０  コイルユニット
６１  コイル
７０  パルス制御回路（制御回路）
８０  パルス出力回路（制御回路）
９０  スイッチング回路
Ｖout  検出電圧
【図１】
2020043619.tif 000003
【図２】
2020043619.tif 000004
【図３】
2020043619.tif 000005
【図４】
2020043619.tif 000006
【図５】
2020043619.tif 000007
【図６】
2020043619.tif 000008